(57)【要約】【課題】  簡易な構成で、持ち運びの簡単な収納体とその小型収納体とを提供しようとする。【解決手段】  従来の荷物を運ぶための収納体にかわって、荷物を収納できる袋体と前記袋体を吊るための吊り紐とを持つ主収納体と、折り畳まれた前記袋体を開口部を通過して出し入れできる小型収納空間を形成する小型収納体と、を備え、前記吊り紐が前記小型収納体を前記小型収納空間から外側へ貫き、前記吊り紐の前記小型収納空間にある側が前記袋体に連結されるものとした。【選択図】    図１
2008253655.tif 000002
【特許請求の範囲】
【請求項１】
荷物を運ぶための収納体であって、
荷物を収納できる袋体と前記袋体を吊るための吊り紐とを持つ主収納体と、
折り畳まれた前記袋体を開口部を通過して出し入れできる小型収納空間を形成する小型収納体と、
を備え、
前記吊り紐が前記小型収納体を前記小型収納空間から外側へ貫き、
前記吊り紐の前記小型収納空間にある側が前記袋体に連結される、
ことを特徴とする収納体。
【請求項２】
前記吊り紐の前記外側の部分がループ状であり、
前記吊り紐の前記ループ状の部分の両端部が前記小型収納体を前記小型収納空間から外側へ各々に貫く、
ことを特徴とする請求項１に記載の収納体。
【請求項３】
前記袋体を吊るための他の吊り紐を、
備え、
前記他の吊り紐が前記小型収納体に拘束されない、
ことを特徴とする請求項１に記載の収納体。
【請求項４】
荷物を運ぶための収納体であって、
荷物を収納できる袋体と前記袋体を吊るための吊り紐とを持つ主収納体と、
折り畳まれた前記袋体を開口部を通過して出し入れできる小型収納空間を形成する小型収納体と、
を備え、
前記吊り紐が前記小型収納体の前記小型収納空間を形成する内壁に連結され、
前記吊り紐の前記小型収納空間にある側が前記袋体に連結される、
ことを特徴とする収納体。
【請求項５】
前記袋体を吊るための他の吊り紐を、
備え、
前記他の吊り紐が前記小型収納体に拘束されない、
ことを特徴とする請求項４に記載の収納体。
【請求項６】
荷物を収納できる袋体と前記袋体を吊るための吊り紐とを持つ主収納体を収納するための小型収納体であって、
折り畳まれた前記袋体を開口部を通過して出し入れできる小型収納空間を形成し該小型収納空間と外側とを連通する貫通穴を設けられた小型袋体、
を備え、
吊り紐が前記貫通穴を貫通できる、
ことを特徴とする小型収納体。
【請求項７】
荷物を収納できる袋体と前記袋体を吊るための吊り紐とを持つ主収納体を収納するための小型収納体であって、
折り畳まれた前記袋体を開口部を通過して出し入れできる小型収納空間を形成し該小型収納空間と外側とを連通する貫通穴を設けられた小型袋体と、
前記貫通穴の一部を塞ぐことをできる連結部材と、
を備え、
吊り紐が前記貫通穴の前記連結部材によって塞がれない箇所を貫通できる、
ことを特徴とする小型収納体。
【発明の詳細な説明】
【技術分野】
【０００１】
本発明は、収納体に係る。
【背景技術】
【０００２】
荷物を運ぶのに収納体を用いる。
一般的な収納体は、荷物を収納できる袋体と前記袋体を吊るための吊り紐とで構成される。
商店等で商品を購入して持ち帰る場合に、袋体と２本の吊り紐とが一体となってビニール袋、布製袋を用いる。
吊り紐を手にかける収納体を、手提げ袋と呼称される。
吊り紐を肩にかける収納体は、肩掛けバックと呼称される。
【０００３】
環境問題意識の高まりにより、使い捨ての収納体を敬遠する傾向がある。
買い物をする場合に、持参した収納体を用いる。
しかし、持参する収納体はかさばって、持ち運びに不便であった。
【０００４】
【特許文献１】公開実用昭６１−１７３５７５号
【特許文献２】特開平１０−１７６３５２号
【特許文献３】特開２００１−３４８９２９号
【特許文献４】特開２００４−２１８２９７号
【発明の開示】
【発明が解決しようとする課題】
【０００５】
本発明は以上に述べた問題点に鑑み案出されたもので、簡易な構成で、持ち運びの簡単な収納体とその小型収納体とを提供しようとする。
【課題を解決するための手段】
【０００６】
上記目的を達成するため、本発明に係る荷物を運ぶための収納体を、荷物を収納できる袋体と前記袋体を吊るための吊り紐とを持つ主収納体と、折り畳まれた前記袋体を開口部を通過して出し入れできる小型収納空間を形成する小型収納体と、を備え、前記吊り紐が前記小型収納体を前記小型収納空間から外側へ貫き、前記吊り紐の前記小型収納空間にある側が前記袋体に連結されるものとした。
【０００７】
上記本発明の構成により、主収納体が、荷物を収納できる袋体と前記袋体を吊るための吊り紐とを持つ。小型収納体が、折り畳まれた前記袋体を開口部を通過して出し入れできる小型収納空間を形成する。前記吊り紐が前記小型収納体を前記小型収納空間から外側へ貫く。前記吊り紐の前記小型収納空間にある側が前記袋体に連結される。
その結果、主収納体と小型収納体とを一体として扱うことをでき、折り畳まれた前記袋体を小型収納空間に収納するとコンパクトにできる。
【０００８】
以下に、本発明の実施形態に係る収納体を説明する。本発明は、以下に記載した実施形態のいずれか、またはそれらの中の二つ以上が組み合わされた態様を含む。
【０００９】
さらに、本発明の実施形態に係る収納体は、前記吊り紐の前記外側の部分がループ状であり、前記ループ状の部分の両端部が前記小型収納体を前記小型収納空間から外側へ各々に貫く。
上記本発明の構成により、前記吊り紐の前記外側のループ状の部分の両端部が前記小型収納体を各々に貫き、前記小型収納空間の側にある側が前記袋体に連結される。
その結果、ループ状の箇所を手、肩等に掛けて、収納体を保持できる。
【００１０】
さらに、本発明の実施形態に係る収納体は、前記袋体を吊るための他の吊り紐を、備え、前記他の吊り紐が前記小型収納体に拘束されない。
上記本発明の構成により、前記他の吊り紐が前記小型収納体に拘束されない。
その結果、荷物を袋体に出し入れする際に他の吊り紐が邪魔にならない。
【００１１】
上記目的を達成するため、本発明に係る荷物を運ぶための収納体を、荷物を収納できる袋体と前記袋体を吊るための吊り紐とを持つ主収納体と、折り畳まれた前記袋体を開口部を通過して出し入れできる小型収納空間を形成する小型収納体と、を備え、前記吊り紐が前記小型収納体の前記小型収納空間を形成する内壁に連結され、前記吊り紐の前記小型収納空間にある側が前記袋体に連結される、ものとした。
【００１２】
上記本発明の構成により、主収納体が、荷物を収納できる袋体と前記袋体を吊るための吊り紐とを持つ。小型収納体が、折り畳まれた前記袋体を開口部を通過して出し入れできる小型収納空間を形成する。前記吊り紐が前記小型収納体の前記小型収納空間を形成する内壁に連結される。前記吊り紐の前記小型収納空間にある側が前記袋体に連結される。
その結果、主収納体と小型収納体とを一体として扱うことをでき、折り畳まれた前記袋体を小型収納空間に収納するとコンパクトにできる。
【００１３】
以下に、本発明の実施形態に係る収納体を説明する。本発明は、以下に記載した実施形態のいずれか、またはそれらの中の二つ以上が組み合わされた態様を含む。
【００１４】
さらに、本発明の実施形態に係る収納体は、前記袋体を吊るための他の吊り紐を、備え、前記他の吊り紐が前記小型収納体に拘束されない。
上記本発明の構成により、前記他の吊り紐が前記小型収納体に拘束されない。
その結果、吊り紐と他の吊り紐とを手、肩等に掛けて、収納体を保持できる。
【００１５】
上記目的を達成するため、本発明に係る荷物を収納できる袋体と前記袋体を吊るための吊り紐とを持つ主収納体を収納するための小型収納体を、折り畳まれた前記袋体を開口部を通過して出し入れできる小型収納空間を形成し該小型収納空間と外側とを連通する貫通穴を設けられた小型袋体、を備え、吊り紐が前記貫通穴を貫通できる、ものとした。
【００１６】
上記本発明の構成により、主収納体が荷物を収納できる袋体と前記袋体を吊るための吊り紐とを持つ。小型収納体の小型袋体が、折り畳まれた前記袋体を開口部を通過して出し入れできる小型収納空間を形成し該小型収納空間と外側とを連通する貫通穴を設けられる。吊り紐が前記貫通穴を貫通できる。
その結果、吊り紐が前記貫通穴を貫通すると、主収納体と小型収納体とを一体として扱うことをでき、折り畳まれた前記袋体を小型収納空間に収納するとコンパクトにできる。
【００１７】
上記目的を達成するため、本発明に係る荷物を収納できる袋体と前記袋体を吊るための吊り紐とを持つ主収納体を収納するための小型収納体を、
折り畳まれた前記袋体を開口部を通過して出し入れできる小型収納空間を形成し該小型収納空間と外側とを連通する貫通穴を設けられた小型袋体と、前記貫通穴の一部を塞ぐことをできる連結部材と、を備え、吊り紐が前記貫通穴の前記連結部材によって塞がれない箇所を貫通できるものとした。
【００１８】
上記本発明の構成により、主収納体が荷物を収納できる袋体と前記袋体を吊るための吊り紐とを持つ。小型収納体が折り畳まれた前記袋体を収納できる小型収納空間を形成する。小型袋体が、折り畳まれた前記袋体を開口部を通過して出し入れできる小型収納空間を形成し該小型収納空間と外側とを連通する貫通穴を設けられる。連結部材が、前記貫通穴の一部を塞ぐことをできる。吊り紐が前記貫通穴の前記連結部材によって塞がれない箇所を貫通できる。
その結果、吊り紐が前記貫通穴を貫通すると、主収納体と小型収納体とを一体として扱うことをでき、折り畳まれた前記袋体を小型収納空間に収納するとコンパクトにできる。
【発明の効果】
【００１９】
以上説明したように本発明に係る収納体は、その構成により、以下の効果を有する。
主収納体の袋体を吊るための吊り紐が前記小型収納体を小型収納空間から外側へ貫いて、前記吊り紐の前記小型収納空間にある側が前記袋体に連結する様にしたので、主収納体と小型収納体とを一体として扱うことをでき、折り畳まれた前記袋体を小型収納空間に収納するとコンパクトにできる。
また、前記吊り紐の外側の部分がループ状だなり、ループ状の部分の両端部を前記小型収納体に前記小型収納空間から外側へ貫く様にしたので、ループ状の箇所を手、肩等に掛けて、収納体を保持できる。
また、他の吊り紐を前記小型収納体に拘束されない様にしたので、荷物を袋体に出し入れする際に他の吊り紐が邪魔にならない。
主収納体の袋体を吊るための吊り紐を前記小型収納体の小型収納空間を形成する内壁に固定し、前記吊り紐の前記小型収納空間にある側が前記袋体に連結する様にしたので、
主収納体と小型収納体とを一体として扱うことをでき、折り畳まれた前記袋体を小型収納空間に収納するとコンパクトにできる。
また、他の吊り紐を前記小型収納体に拘束されない様にしたので、荷物を袋体に出し入れする際に他の吊り紐が邪魔にならない。
【００２０】
以上説明したように本発明に係る小型収納体は、その構成により、以下の効果を有する。
主収納体を収納するための小型収納体が、折り畳まれた前記袋体を開口部を通過して出し入れできる小型収納空間を形成し、該小型収納空間と外側とを連通する貫通穴を設けられ、吊り紐が前記貫通穴を貫通できる様にしたので、主収納体と小型収納体とを一体として扱うことをでき、折り畳まれた前記袋体を小型収納空間に収納するとコンパクトにできる。
主収納体を収納するための小型収納体が、折り畳まれた前記袋体を開口部を通過して出し入れできる小型収納空間を形成し、該小型収納空間と外側とを連通する貫通穴を設けられ、連結部材が前記貫通穴の一部を塞ぐことをでき、吊り紐が前記貫通穴を貫通できる様にしたので、主収納体と小型収納体とを一体として扱うことをでき、折り畳まれた前記袋体を小型収納空間に収納するとコンパクトにできる。
従って、簡易な構成で、持ち運びの簡単な収納体とその小型収納体とを提供できる。
【発明を実施するための最良の形態】
【００２１】
以下、本発明を実施するための最良の形態を、図面を参照して説明する。なお、各図において、共通する部分には同一の符号を付し、重複した説明を省略する。
【００２２】
最初に、本発明の第一の実施形態に係る収納体を、図を基に、説明する。
図１は、本発明の第一の実施形態に係る収納体の全体図その１である。図２は、本発明の第一の実施形態に係る収納体の断面図である。図３は、本発明の第一の実施形態に係る収納体の全体図その２である。
【００２３】
収納体は、荷物を運ぶためのこのであって、人の体の一部に掛けて用いられる。
通常、人の手または肩に掛けて使用される。
収納体が、主収納体１０と小型収納体２０とで構成される。
主収納体１０は、袋体１１と吊り紐１２と他の吊り紐１３と面ファスナー１４とで構成される。
袋体１１は、荷物を収納できるものである。
例えば、袋体１１が、袋状の形状をしている。
吊り紐１２と他の吊り紐１３とは、袋体１１を吊るためのものである。
例えば、吊り紐１２の両端部が、袋体１１の口の縁に連結される。
例えば、他の吊り紐１３の両端部が、袋体１１の口の縁に連結される。
面ファスナー１４は、主収納体１０を吊る際に、袋体１１の口を綴じるためのものである。
【００２４】
小型収納体２０は、主収納体１０を収納するためのものである。
小型収納体２０は、折り畳まれた袋体１１を開口部Ｏを通過して出し入れできる小型収納空間Ｈを形成する。
小型収納体２０は、小型袋体２１と締結部材２３とで構成される。
小型袋体２１は、開口部Ｏに連通する小型収納空間Ｈを形成する袋状の形状を持つ。
締結部材２３は、開口部Ｏを開閉できる。
例えば、締結部材２３は、点ファスナー、線ファスナ、または面ファスナーである。
例えば、点ファスナーは、スナップボタンである。
例えば、線ファスナーは、いわゆる「ジッパー（登録商標）」である。
例えば、面ファスナーは、いわゆる「ベルクロテープ（登録商標）」である。
【００２５】
吊り紐１２が、小型収納体２０を小型収納空間Ｈから外側へ貫く。
吊り紐１２の小型収納空間Ｈにある側が、袋体１１に連結される。
吊り紐が小型収納体を２箇所で小型収納空間から外側へ各々に貫き、
吊り紐の外側の部分がループ状であってもよい。
吊り紐１２のループ状の部分の両端部が小型収納体を２箇所で小型収納空間から外側へ各々に貫く。
【００２６】
他の吊り紐１３は、吊り紐１２と同じ構造であるので、説明を省略する。
【００２７】
図１は、吊り紐１２と他の吊り紐１３とが、各々に１本のテープ状の形状をしており、吊り紐１２と他の吊り紐１３とが、小型袋体２１の底部の二箇所の貫通部２２を各々に貫き、吊り紐１２の外側の部分が各々にループ状であるのを示している。
貫通部２２は、綴じられた部分であっても、貫通穴になった部分でもよい。
吊り紐１２または他の吊り紐１３は、小型袋体２１に貫通部２２で固定されてもよい。
吊り紐１２または他の吊り紐１３は、小型袋体２１に貫通部２２で固定されず、長手方向に自由に移動できてもよい。この場合、貫通部２２は貫通穴のある部分である。
【００２８】
図３は、折り畳まれた袋体が小型収納空間Ｈに収納され、締結部材２３が開口部Ｏを綴じているのを示している。
吊り紐１２の一部と他の吊り紐１３の一部が、小型収納体２０の貫通部２２から外側へ露出している。
【００２９】
次に、本発明の第二の実施形態に係る収納体を、図を基に、説明する。
図４は、本発明の第二の実施形態に係る収納体の全体図その１である。図５は、本発明の第二の実施形態に係る収納体の全体図その２である。
【００３０】
収納体は、荷物を運ぶためのものであって、人の体の一部に掛けて用いられる。
通常、収納体は、人の手または肩に掛けて使用される。
収納体が、主収納体１０と小型収納体２０とで構成される。
主収納体１０と小型収納体２０の構造は、他の吊り紐１３を除いて、第一の実施形態にかかる収納体と同じなので、同じ部分を省略して、異なる点のみを説明する。
【００３１】
他の吊り紐１３は、小型収納体２０に拘束されない。
図４は、吊り紐１２が、１本のテープ状の形状をしており、小型袋体２１の底部の二箇所の貫通部２２を各々に貫き、吊り紐１２の外側の部分が各々にループ状であり、
他の吊り紐１３が、１本のテープ状の形状をしており、小型収納体２０に拘束されていないのを示している。
【００３２】
図５は、折り畳まれた袋体と他の吊り紐１３とが小型収納空間Ｈに収納され、締結部材２３が開口部Ｏを綴じているのを示している。
吊り紐１２の一部が、小型収納体２０の貫通部２２から外側へ露出している。
【００３３】
次に、本発明の第三の実施形態に係る収納体を、図を基に、説明する。
図６は、本発明の第三の実施形態に係る収納体の全体図その１である。図７は、本発明の第三の実施形態に係る収納体の全体図その２である。
【００３４】
収納体は、荷物を運ぶためのものであって、人の体の一部に掛けて用いる。
通常、人の手または肩に掛けて使用される。
収納体が、主収納体１０と小型収納体２０とで構成される。
主収納体１０は、袋体１１と吊り紐１２と他の吊り紐１３と面ファスナー１４とで構成される。
袋体１１は、荷物を収納できるものである。
例えば、袋体１１が、袋状の形状をしている。
吊り紐１２と他の吊り紐１３とは、袋体１１を吊るためのものである。
例えば、吊り紐１２の両端部が、袋体１１の口の縁に連結される。
例えば、他の吊り紐１３の両端部が、袋体１１の口の縁に連結される。
面ファスナー１４は、主収納体１０を吊った際に袋体１１の口を綴じるものである。
【００３５】
小型収納体２０は、主収納体１０を収納するためのものである。
小型収納体２０は、折り畳まれた袋体１１を開口部Ｏを通過して出し入れできる小型収納空間Ｈを形成する。
小型収納体２０は、小型袋体２１と締結部材２３とで構成される。
小型袋体２１は、開口部Ｏに連通する小型収納空間Ｈを形成する袋状の形状を持つ。
締結部材２３は、開口部Ｏを開閉できる。
例えば、締結部材２３は、点ファスナー、線ファスナ、または面ファスナーである。
例えば、点ファスナーは、スナップボタンである。
例えば、線ファスナーは、いわゆる「ジッパー（登録商標）」である。
例えば、面ファスナーは、いわゆる「ベルクロテープ（登録商標）」である。
【００３６】
吊り紐１２が小型収納体２１の小型収納空間Ｈを形成する内壁に連結され、吊り紐１２の小型収納空間Ｈにある側が袋体１１に連結される。
吊り紐１２が、ループ状の形状であって、ループ形状の部分の中央部が、小型収納空間Ｈを形成する内壁に固定されてもよい。
吊り紐１２が、ループ状の形状であって、ループ形状の部分の中央部が、小型収納空間Ｈを形成する内壁に設けられた環状の部材を貫通し、長手方向に移動自在になっていてもよい。
吊り紐が、ループ状の形状であって、ループ形状の部分の中央部が、小型収納空間Ｈを形成する内壁に設けられた点ファスナーで連結されてもよい。
【００３７】
他の吊り紐１３は、吊り紐１２と同じ構造であるので、説明を省略する。
【００３８】
図６は、吊り紐１２と他の吊り紐とが、各々に１本のテープ状の形状をしており、ループ形状の中央部が、小型収納体に小型収納空間の内壁で連結されているの示している。
連結する方法は、固定する方法、長手方向に移動自在に連結する方法、点ファスナーで脱着可能に連結する方法でも良い。
【００３９】
図７は、折り畳まれた袋体と吊り紐と他の吊り紐とが小型収納空間Ｈに収納され、締結部材２３が開口部Ｏを綴じているのを示している。
【００４０】
次に、本発明の第四の実施形態に係る収納体を、図を基に、説明する。
図８は、本発明の第四の実施形態に係る収納体の全体図その１である。
【００４１】
収納体は、荷物を運ぶためのこのであって、人の体の一部に掛けてもといる。
通常、人が手または肩に掛けて使用する。
収納体が、主収納体１０と小型収納体２０とで構成される。
主収納体１０と小型収納体２０の構造は、他の吊り紐１３を除いて、第三の実施形態にかかる収納体と同じなので、同じ部分を省略して、異なる点のみを説明する。
【００４２】
他の吊り紐１３は、小型収納体２０に拘束されない。
図８は、吊り紐１２が、１本のテープ状の形状をしており、ループ状の中央部が小型収納体の小型収納空間を形成する内壁に連結され、他の吊り紐１３が、１本のテープ状の形状をしており、小型収納体２０に拘束されていないのを示している。
【００４３】
次に、本発明の第五の実施形態に係る収納体を、図を基に、説明する。
図９は、本発明の第五の実施形態に係る収納体の全体図その１である。
【００４４】
収納体は、荷物を運ぶためのものであって、人の体の一部に掛けてもちいる。
通常、人の手または肩に掛けて使用される。
収納体が、主収納体１０と小型収納体２０とで構成される。
主収納体１０は、袋体１１と吊り紐１２と他の吊り紐１３と面ファスナー１４とで構成される。
袋体１１は、荷物を収納できるものである。
例えば、袋体１１が、袋状の形状をしている。
吊り紐１２と他の吊り紐１３とは、袋体１１を吊るためのものである。
例えば、吊り紐１２の両端部が、袋体１１の口の縁に連結される。
例えば、他の吊り紐１３の両端部が、袋体１１の口の縁に連結される。
面ファスナー１４は、主収納体１０を吊った際に、袋体１１の口を綴じるものである。
【００４５】
小型収納体２０は、主収納体１０を収納するためのものである。
小型収納体２０は、折り畳まれた袋体１１を開口部Ｏを通過して出し入れできる小型収納空間Ｈを形成する。
小型収納体２０は、小型袋体２１と締結部材２３とで構成される。
小型袋体２１は、折り畳まれた袋体を開口部を通過して出し入れできる小型収納空間を形成し該小型収納空間と外側とを連通する貫通穴２４を設けられた袋状の形状を持つ。
貫通穴２４が長尺の形状をした穴であってもよい。
締結部材２３は、開口部Ｏを開閉できる。
締結部材２３は、開口部Ｏを開閉できる。
例えば、締結部材２３は、点ファスナー、線ファスナ、または面ファスナーである。
例えば、点ファスナーは、スナップボタンである。
例えば、線ファスナーは、いわゆる「ジッパー（登録商標）」である。
例えば、面ファスナーは、いわゆる「ベルクロテープ（登録商標）」である。
【００４６】
小型収納体２０は、小型袋体２１と締結部材２３と連結部材２５とで構成されてもよい。
小型袋体２１と締結部材２３の構造は、上記したものと同じなので、説明を省略する。
連結部材２５は、貫通穴２４の一部を塞ぐことをできる部材である。
連結部材２５は、貫通穴２４の長手形状の中央部を塞ぐことをできる部材である。
例えば、連結部材２５は、貫通穴２４を跨ぐ帯状部材である。連結部材２５の一端が貫通穴２４の縁に固定され、連結部材２５の他端が貫通穴２４の縁の対岸に脱着可能になっている。
【００４７】
吊り紐１２が、貫通穴２４の連結部材２５によって塞がれない箇所を貫通できる、
吊り紐１２の小型収納空間Ｈにある側が、袋体１１に連結される。
吊り紐が小型収納体を２箇所で小型収納空間から外側へ各々に貫き、
吊り紐の外側の部分がループ状であってもよい。
【００４８】
他の吊り紐１３は、吊り紐１２と同じ構造であってもよく、小型収納体２０に拘束されないタイプであってもよい。
【００４９】
図９は、吊り紐１２と他の吊り紐とが、各々に１本のテープ状の形状をしており、吊り紐１２と他の吊り紐１３と、が小型袋体２１の底部の貫通穴２４の連結部材２５を跨いだ箇所を各々に貫き、吊り紐１２の外側の部分が各々にループ状であるのを示している。
【００５０】
次に、本発明の第六の実施形態に係る収納体を、図を基に、説明する。
図１０は、本発明の第六の実施形態に係る収納体の全体図その１である。図１１は、本発明の第六の実施形態に係る収納体の全体図その２である。
図１１は、小型収納体２０の断面を示している。
収納体が、主収納体１０と小型収納体２０とで構成される。
主収納体１０は、袋体１１と吊り紐１２と他の吊り紐１３と面ファスナー１４と一対の締結部材１５とボタン１６と内ポケット１７とフック１８とで構成される。
袋体１１と吊り紐１２と他の吊り紐１３と面ファスナー１４の構造は、第五の実施形態に係る収納体のものと同じなので、説明を省略する。
締結部材１５は、小型収納体２０に設けられた締結部材２３に締結可能な部材である。
例えば、小型収納体２０の締結部材２３が線ファスナーである場合に、締結部材１５は小型収納体２０の線ファスナーの片方の半分に噛みあう線ファスナーである。締結部材２３（線ファスナー）と締結部材１５（線ファスナー）は、必要に応じて噛みあったり、外れたりできる。
収納体を使用する際に、小型収納体２０の締結部材２３（線ファスナー）を半分に分離し、開いた開口部Ｏを袋体１１の口を覆う様に被せ、小型収納体２０の締結部材２３（線ファスナー）の片方の半分を締結部材１５（線ファスナー）に噛みあわせ、小型収納体２０の締結部材２３（線ファスナー）の他の片方の半分を締結部材１５（線ファスナー）に噛みあわせる。この様にすると、小型袋体２１で袋体１１の口を覆うことができる。
【００５１】
ボタン１６は、吊り紐１２の一箇所または２箇所に取り付けられる。
他のボタン１６が、他の吊り紐１２の一箇所または２箇所に取り付けられてもよい。
ボタン１６は、後述する小型収納体２０に設けられたボタン穴に係合する。
内ポケット１７は、袋体１１の内側に設けられたポケットである。
内ポケット１７は、小物を収納するのに用いられる。
フック１８は、吊り紐１２に設けられる。フック１８は、ロック付きフックであってもよい。
例えば、買い物をする際に、フック１８を店の買い物かごに引っかけて、収納体を買い物カゴに吊るすことをできる。
また例えば、買い物をする際に、フック１８を店の買い物かごに設けたループ上の紐にに引っかけて、収納体を買い物カゴに吊るすことをできる。
【００５２】
小型収納体２０は、主収納体１０を収納するためのものである。
小型収納体２０は、折り畳まれた袋体１１を開口部Ｏを通過して出し入れできる小型収納空間Ｈを形成する。
小型収納体２０は、小型袋体２１と締結部材２３と連結部材２５と内ポケット２７で構成されてもよい。
小型収納体２０の主要な構造は、第五の実施形態にかかる小型収納体のものと同じなので、同じ部分の説明を省略して、異なる点を説明する。
小型袋体２１が、ボタン穴２６を設けられる。
ボタン穴１６は、上述したホタン１６に係合できる。
内ポケット２７が、小型袋体２１の内側に設けられる。
内ポケット２７は、貫通穴２４の側から物を出し入れできてもよい。
【００５３】
上述の実施形態の収納体を用いれば、以下の効果を発揮する。
主収納体１０の袋体を吊るための吊り紐１２と他の吊り紐１３とが小型収納体を小型収納空間から外側へ貫いて、吊り紐１２と他の吊り紐１３との小型収納空間Ｈにある側が袋体１１に連結する様にしたので、主収納体１０と小型収納体２０とを一体として扱うことをでき、折り畳まれた袋体１１を小型収納空間Ｈに収納するとコンパクトにできる。
また、吊り紐１２と他の吊り紐１３との外側の部分がループ状にし、ループ状の部分の両端部が小型収納体を小型収納空間から外側へ貫く様にしたので、ループ状の箇所を手、肩等に掛けて、収納体を保持できる。
また、吊り紐１２と他の吊り紐１３との外側の部分がループ状にし、ループ状の部分の両端部が小型収納体２０を小型収納空間Ｈから外側へ貫いて固定する様にしたので、  ループ状の箇所を手、肩等に掛けて、収納体を保持できる。
また、吊り紐１２と他の吊り紐１３との外側の部分がループ状にし、ループ状の部分の両端部が小型収納体２０を小型収納空間Ｈから外側へ貫いて長手方向に移動自在にする様にしたので、ループ状の箇所を手、肩等に掛けて、収納体を保持できる。
また、吊り紐１２が小型収納体に小型収納空間から外側へ貫いて、他の吊り紐１３を小型収納体に拘束されない様にしたので、荷物を袋体に出し入れする際に他の吊り紐が邪魔にならない。
主収納体の袋体を吊るための吊り紐１２と他の吊り紐１３とを小型収納体に小型収納空間を形成する内壁に連結し、吊り紐の小型収納空間にある側が袋体に連結する様にしたので、主収納体１０と小型収納体２０とを一体として扱うことをでき、折り畳まれた袋体１１を小型収納空間Ｈに収納するとコンパクトにできる。
また、主収納体の袋体を吊るための吊り紐１２と他の吊り紐１３とを小型収納体に小型収納空間を形成する内壁に固定し、吊り紐の小型収納空間にある側が袋体に連結する様にしたので、主収納体１０と小型収納体２０とを一体として扱うことをでき、折り畳まれた袋体１１を小型収納空間Ｈに収納するとコンパクトにできる。
また、主収納体の袋体を吊るための吊り紐１２と他の吊り紐１３とを小型収納体に小型収納空間を形成する内壁の環状の部材に通して長手方向に移動自在にし、吊り紐の小型収納空間にある側が袋体に連結する様にしたので、主収納体１０と小型収納体２０とを一体として扱うことをでき、折り畳まれた袋体１１を小型収納空間Ｈに収納するとコンパクトにできる。
また、主収納体の袋体を吊るための吊り紐１２と他の吊り紐１３とを小型収納体に小型収納空間を形成する内壁の環状の部材に通して長手方向に移動自在にし、吊り紐の小型収納空間にある側が袋体に点ファスナーで脱着可能に連結する様にしたので、主収納体１０と小型収納体２０とを一体として扱うことをでき、折り畳まれた袋体１１を小型収納空間Ｈに収納するとコンパクトにできる。
また、主収納体１０の袋体１１を吊るための吊り紐１２を小型収納体２０の小型収納空間Ｈを形成する内壁に連結し、他の吊り紐１３を小型収納体に拘束されない様にしたので、荷物を袋体に出し入れする際に他の吊り紐が邪魔にならない。
【００５４】
上述の実施形態の小型収納体を用いれば、以下の効果を発揮する。
主収納体１０を収納するための小型収納体２０を、折り畳まれた袋体１１を開口部Ｏを通過して出し入れできる小型収納空間をＨ形成し、小型収納空間Ｈと外側とを連通する貫通穴２４を設け、吊り紐１２または他の吊り紐１３が貫通穴２４を貫通できる様にしたので、主収納体１０と小型収納体２０とを一体として扱うことをでき、折り畳まれた袋体を小型収納空間に収納するとコンパクトに取り扱うことができる。
主収納体１０を収納するための小型収納体２０を、折り畳まれた袋体１１を開口部Ｏを通過して出し入れできる小型収納空間Ｈを形成し、小型収納空間Ｈと外側とを連通する貫通穴を設け、連結部材２５が貫通穴２４の一部を塞ぐことをでき、吊り紐１２または他の吊り紐１３が貫通穴２５を貫通できる様にしたので、主収納体１０と小型収納体２０とを一体として扱うことをでき、折り畳まれた袋体１１を小型収納空間Ｈに収納するとコンパクトに取り扱うことができる。
また、一般の手提げ袋、肩掛けバックの吊り紐を貫通穴２４に通し、連結部材２５が貫通穴の一部を塞ぐと、本発明の収納体を実現できる。
【００５５】
本発明は以上に述べた実施形態に限られるものではなく、発明の要旨を逸脱しない範囲で各種の変更が可能である。
実施例では、主収納体が２本の吊り紐が袋体に連結された構造であるとして説明したが、これに限定されず、１本の吊り紐が袋体に連結された構造、または３個以上の吊り紐が袋体に連結された構造であってもよい。
また、実施例では、主収納体が吊り紐と袋体とが連結された構造であるとして説明したが、これに限定されず、主収納体が吊り紐と袋体と一体の部材から切り出された構造であってもよい。
第六の実施形態にかかる収納体の説明において、締結部材１５、ボタン１６、内ポケット１７、フック１８、ボタン穴２６を第五の実施形態にかかる収納体に設けた例で説明したが、これに限定されず。他の実施形態にかかる収納体に設けても良い。
【図面の簡単な説明】
【００５６】
【図１】本発明の第一の実施形態に係る収納体の全体図その１である。
【図２】本発明の第一の実施形態に係る収納体の断面図である。
【図３】本発明の第一の実施形態に係る収納体の全体図その２である。
【図４】本発明の第二の実施形態に係る収納体の全体図その１である。
【図５】本発明の第二の実施形態に係る収納体の全体図その２である。
【図６】本発明の第三の実施形態に係る収納体の全体図その１である。
【図７】本発明の第三の実施形態に係る収納体の全体図その２である。
【図８】本発明の第四の実施形態に係る収納体の全体図その１である。
【図９】本発明の第五の実施形態に係る収納体の全体図その１である。
【図１０】本発明の第六の実施形態に係る収納体の全体図その１である。
【図１１】本発明の第六の実施形態に係る収納体の全体図その２である。
【００５７】
Ｏ  開口部
Ｈ  小型収納空間
１０  主収納体
１１  袋体
１２  吊り紐
１３  他の吊り紐
１４  面ファスナー
１５  締結部材
１６  ボタン
１７  内ポケット
１８  フック
２０  小型収納体
２１  小型袋体
２２  貫通部
２３  締結部材
２４  貫通穴
２５  連結部材
２６  ボタン穴
２７  内ポケット
【図１】
2008253655.tif 000003
【図２】
2008253655.tif 000004
【図３】
2008253655.tif 000005
【図４】
2008253655.tif 000006
【図５】
2008253655.tif 000007
【図６】
2008253655.tif 000008
【図７】
2008253655.tif 000009
【図８】
2008253655.tif 000010
【図９】
2008253655.tif 000011
【図１０】
2008253655.tif 000012
【図１１】
2008253655.tif 000013